(57)【特許請求の範囲】
【請求項１】
圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、
前記コントローラは、
複数の前記冷凍サイクル装置のそれぞれから運転データを収集するデータ収集部と、
前記データ収集部により収集された前記運転データに基づいて、複数の前記冷凍サイクル装置のデータ収集の優先度を個別に決定する優先度決定処理を行うデータ判断部と、
複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、
前記運転データは、前記圧縮機の圧縮機周波数を含み、
前記データ判断部は、前記圧縮機周波数に基づいて前記優先度決定処理を行い、前記圧縮機周波数が高い前記冷凍サイクル装置ほど優先度を高くし、
前記データ収集部は、前記データ収集間隔設定部により各冷凍サイクル装置について設定された前記データ収集間隔に基づき、各冷凍サイクル装置から運転データを収集する
冷凍サイクルシステム。
【請求項２】
圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、
前記コントローラは、
複数の前記冷凍サイクル装置のそれぞれから運転データを収集するデータ収集部と、
前記データ収集部により収集された前記運転データに基づいて、複数の前記冷凍サイクル装置のデータ収集の優先度を個別に決定する優先度決定処理を行うデータ判断部と、
複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、
前記運転データは、消費電力を含み、
前記データ判断部は、前記消費電力に基づいて前記優先度決定処理を行い、前記消費電力が高い前記冷凍サイクル装置ほど優先度を高くし、
前記データ収集部は、前記データ収集間隔設定部により各冷凍サイクル装置について設定された前記データ収集間隔に基づき、各冷凍サイクル装置から運転データを収集する
冷凍サイクルシステム。
【請求項３】
圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、
複数の前記冷凍サイクル装置は、前記冷媒との間で熱交換をする室外機熱交換器と、前記室外機熱交換器に空気を供給する室外機送風機と、をさらに備え、
前記コントローラは、
複数の前記冷凍サイクル装置のそれぞれから運転データを収集するデータ収集部と、
前記データ収集部により収集された前記運転データに基づいて、複数の前記冷凍サイクル装置のデータ収集の優先度を個別に決定する優先度決定処理を行うデータ判断部と、
複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、
前記運転データは、前記室外機送風機のファン周波数を含み、
前記データ判断部は、前記ファン周波数に基づいて前記優先度決定処理を行い、前記ファン周波数が高い前記冷凍サイクル装置ほど優先度を高くし、
前記データ収集部は、前記データ収集間隔設定部により各冷凍サイクル装置について設定された前記データ収集間隔に基づき、各冷凍サイクル装置から運転データを収集する
冷凍サイクルシステム。
【請求項４】
圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、
前記コントローラは、
複数の前記冷凍サイクル装置のそれぞれから運転データを収集するデータ収集部と、
前記データ収集部により収集された前記運転データに基づいて、複数の前記冷凍サイクル装置のデータ収集の優先度を個別に決定する優先度決定処理を行うデータ判断部と、
複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、
前記運転データは、通常運転の制御とは異なる特殊制御を実施しているか否かを表す特殊制御情報を含み、
前記データ判断部は、前記特殊制御情報に基づいて前記優先度決定処理を行い、
前記データ収集部は、前記データ収集間隔設定部により各冷凍サイクル装置について設定された前記データ収集間隔に基づき、各冷凍サイクル装置から運転データを収集する
冷凍サイクルシステム。
【請求項５】
前記運転データは、通常運転の制御とは異なる特殊制御を実施しているか否かを表す特殊制御情報をさらに含み、
前記データ判断部は、前記優先度決定処理を行う際に、前記特殊制御を実施している前記冷凍サイクル装置の優先度をそれ以外の前記冷凍サイクル装置の優先度よりも高く設定する
請求項１〜３のいずれか一項に記載の冷凍サイクルシステム。
【請求項６】
前記運転データは、複数の前記冷凍サイクル装置のそれぞれを特定する機器番号の情報をさらに含み、
前記データ判断部は、同一の優先度を有する複数の前記冷凍サイクル装置がある場合に、同一の優先度を有する複数の前記冷凍サイクル装置において前記機器番号が小さい前記冷凍サイクル装置ほど優先度を高くする
請求項１〜５のいずれか一項に記載の冷凍サイクルシステム。
【請求項７】
圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、
前記コントローラは、
複数の前記冷凍サイクル装置のそれぞれから運転データを収集するデータ収集部と、
前記データ収集部により収集された前記運転データに基づいて、複数の前記冷凍サイクル装置のデータ収集の優先度を個別に決定する優先度決定処理を行うデータ判断部と、
複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、
前記データ収集間隔設定部は、前記データ収集部が前記運転データを収集する際に送信するコマンドの総数が、データ収集間隔の設定の前後において一定となるように、前記優先度に前記データ収集間隔が対応づけられたテーブルを有し、
前記データ収集部は、前記データ収集間隔設定部により各冷凍サイクル装置について設定された前記データ収集間隔に基づき、各冷凍サイクル装置から運転データを収集する
冷凍サイクルシステム。
【請求項８】
前記冷凍サイクル装置は、空調機である
請求項１〜７のいずれか一項に記載の冷凍サイクルシステム。
【請求項９】
前記冷凍サイクル装置は、冷凍装置である
請求項１〜７のいずれか一項に記載の冷凍サイクルシステム。
【請求項１０】
圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおける通信トラフィック調整方法であって、
前記コントローラが、複数の前記冷凍サイクル装置のそれぞれから運転データを収集するデータ収集ステップと、
前記コントローラが、前記データ収集ステップにより収集された前記運転データに基づいて、複数の前記冷凍サイクル装置のデータ収集の優先度を個別に決定する優先度決定処理を行うデータ判断ステップと、
前記コントローラが、複数の前記冷凍サイクル装置のうち、前記データ判断ステップにより決定された前記優先度が高い冷凍サイクル装置についてはデータ収集間隔を短周期に設定し、前記優先度が低い冷凍サイクル装置についてはデータ収集間隔を長周期に設定するデータ収集間隔設定ステップと、を備え、
前記運転データは、前記圧縮機の圧縮機周波数を含み、
前記データ判断ステップは、前記圧縮機周波数に基づいて前記優先度決定処理を行い、前記圧縮機周波数が高い前記冷凍サイクル装置ほど優先度を高くし、
前記データ収集ステップは、前記データ収集間隔設定ステップにより各冷凍サイクル装置について設定された前記データ収集間隔に基づき、各冷凍サイクル装置から運転データを収集する
通信トラフィック調整方法。
【発明の詳細な説明】
【技術分野】
【０００１】
本発明は、冷凍サイクルシステム、および、冷凍サイクルシステムにおける通信トラフィック調整方法に関し、冷凍サイクルシステムは、複数の冷凍サイクル装置を監視するコントローラを備えるものである。
【背景技術】
【０００２】
従来、冷凍サイクル装置を備えた冷凍サイクルシステムとして、例えば空調システムまたは低温システム等がある。一般に、空調システムは、室外機および室内機で構成される空調機と、空調機の運転情報を通信により収集するコントローラ等とから構成されている。このようなコントローラは、複数台の空調機と通信することができ、複数台の空調機の運転情報を定期的に収集している。そして、コントローラは、定期的に取得しているデータを確認することで、空調機の運転状態を監視することができる。【０００３】
ところで、空調機の接続台数が多い場合には、コントローラが通信により空調機から収集するデータが接続台数に応じて増えるため、通信トラフィック（通信経路における通信の混雑度）が増大する。通信のトラフィックが増大すると、空調機を監視するコントローラにおいて必要なデータの取得ができない、あるいはデータ取得が遅れる等といった状況が発生し、空調機の運転状態監視の精度を確保することが困難となる。【０００４】
そこで、従来の空調システムにおいて、通信トラフィックの増大による通信への悪影響を生じさせないために、接続可能な最大数の空調機台数を考慮してコントローラがデータ要求を送信する通信間隔を調整することで、通信トラフィックの増大を防ぐものがある。【０００５】
また、特許文献１には、通信トラフィックを監視し、通信状況に応じて全体のデータ要求間隔を調整するトラフィック削減方法が開示されている。
【先行技術文献】
【特許文献】
【０００６】
【特許文献１】特開２０１０−１９５３０号公報
【発明の概要】
【発明が解決しようとする課題】
【０００７】
ところで、空調システムにおいて空調機の運転状態監視を行う場合、運転データの変化が大きな空調機については、監視精度を保つためには短周期でデータ取得を行う必要がある。一方で、運転データの変化が小さな空調機については、短周期でデータ取得を行っても取得したデータは同一値の連続となるため、長周期でデータ取得を行っても監視精度への影響を抑えることができる。【０００８】
しかしながら、従来のように、コントローラから各空調機に対してデータ要求を送信するデータ要求間隔が、空調システムに接続可能な空調機の最大数に応じて調整される構成では、データ要求間隔は一定の長さとなる。また、特許文献１のトラフィック削減方法のように、データ要求間隔が空調システムの通信トラフィックに応じて調整される構成であっても、複数の空調機に対するデータ要求間隔は一律であり、通信トラフィックが大きくなるとデータ要求間隔は一律に長くなる。そのため、従来の空調システムにおいて、コントローラが収集する空調機のデータは、各空調機の運転データの変化の大小にかかわらず間隔が一律であり、時間的に間隔の空いたデータ値となるため、どの空調機についても運転状態監視の精度が低下する場合があった。【０００９】
本発明は、上記のような課題を解決するためになされたもので、各冷凍サイクル装置の運転状態に適した運転状態監視の精度を保つことができる、冷凍サイクルシステムおよび通信トラフィック調整方法を提供することを目的とする。
【課題を解決するための手段】
【００１０】
本発明に係る冷凍サイクルシステムは、圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、前記コントローラは、複数の前記冷凍サイクル装置のそれぞれから運転データを収集するデータ収集部と、前記データ収集部により収集された前記運転データに基づいて、複数の前記冷凍サイクル装置のデータ収集の優先度を個別に決定する優先度決定処理を行うデータ判断部と、複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、前記運転データは、前記圧縮機の圧縮機周波数を含み、前記データ判断部は、前記圧縮機周波数に基づいて前記優先度決定処理を行い、前記圧縮機周波数が高い前記冷凍サイクル装置ほど優先度を高くし、前記データ収集部は、前記データ収集間隔設定部により各冷凍サイクル装置について設定された前記データ収集間隔に基づき、各冷凍サイクル装置から運転データを収集するものである。
また、本発明に係る冷凍サイクルシステムは、圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、前記コントローラは、複数の前記冷凍サイクル装置のそれぞれから運転データを収集するデータ収集部と、前記データ収集部により収集された前記運転データに基づいて、複数の前記冷凍サイクル装置のデータ収集の優先度を個別に決定する優先度決定処理を行うデータ判断部と、複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、前記運転データは、消費電力を含み、前記データ判断部は、前記消費電力に基づいて前記優先度決定処理を行い、前記消費電力が高い前記冷凍サイクル装置ほど優先度を高くし、前記データ収集部は、前記データ収集間隔設定部により各冷凍サイクル装置について設定された前記データ収集間隔に基づき、各冷凍サイクル装置から運転データを収集するものである。
また、本発明に係る冷凍サイクルシステムは、圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、複数の前記冷凍サイクル装置は、前記冷媒との間で熱交換をする室外機熱交換器と、前記室外機熱交換器に空気を供給する室外機送風機と、をさらに備え、前記コントローラは、複数の前記冷凍サイクル装置のそれぞれから運転データを収集するデータ収集部と、前記データ収集部により収集された前記運転データに基づいて、複数の前記冷凍サイクル装置のデータ収集の優先度を個別に決定する優先度決定処理を行うデータ判断部と、複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、前記運転データは、前記室外機送風機のファン周波数を含み、前記データ判断部は、前記ファン周波数に基づいて前記優先度決定処理を行い、前記ファン周波数が高い前記冷凍サイクル装置ほど優先度を高くし、前記データ収集部は、前記データ収集間隔設定部により各冷凍サイクル装置について設定された前記データ収集間隔に基づき、各冷凍サイクル装置から運転データを収集するものである。
また、本発明に係る冷凍サイクルシステムは、圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、前記コントローラは、複数の前記冷凍サイクル装置のそれぞれから運転データを収集するデータ収集部と、前記データ収集部により収集された前記運転データに基づいて、複数の前記冷凍サイクル装置のデータ収集の優先度を個別に決定する優先度決定処理を行うデータ判断部と、複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、前記運転データは、通常運転の制御とは異なる特殊制御を実施しているか否かを表す特殊制御情報を含み、前記データ判断部は、前記特殊制御情報に基づいて前記優先度決定処理を行い、前記データ収集部は、前記データ収集間隔設定部により各冷凍サイクル装置について設定された前記データ収集間隔に基づき、各冷凍サイクル装置から運転データを収集するものである。
また、本発明に係る冷凍サイクルシステムは、圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおいて、前記コントローラは、複数の前記冷凍サイクル装置のそれぞれから運転データを収集するデータ収集部と、前記データ収集部により収集された前記運転データに基づいて、複数の前記冷凍サイクル装置のデータ収集の優先度を個別に決定する優先度決定処理を行うデータ判断部と、複数の前記冷凍サイクル装置のうち、前記データ判断部により決定された前記優先度が高い冷凍サイクル装置についてはデータ収集間隔を短周期に設定し、前記優先度が低い冷凍サイクル装置についてはデータ収集間隔を長周期に設定するデータ収集間隔設定部と、を備え、前記データ収集間隔設定部は、前記データ収集部が前記運転データを収集する際に送信するコマンドの総数が、データ収集間隔の設定の前後において一定となるように、前記優先度に前記データ収集間隔が対応づけられたテーブルを有し、前記データ収集部は、前記データ収集間隔設定部により各冷凍サイクル装置について設定された前記データ収集間隔に基づき、各冷凍サイクル装置から運転データを収集するものである。
【００１１】
また、本発明に係る通信トラフィック調整方法は、圧縮機により冷媒が循環する冷凍サイクルをそれぞれ有する複数の冷凍サイクル装置と、複数の前記冷凍サイクル装置と通信可能に接続されたコントローラとを備えた冷凍サイクルシステムにおける通信トラフィック調整方法であって、前記コントローラが、複数の前記冷凍サイクル装置のそれぞれから運転データを収集するデータ収集ステップと、前記コントローラが、前記データ収集ステップにより収集された前記運転データに基づいて、複数の前記冷凍サイクル装置のデータ収集の優先度を個別に決定する優先度決定処理を行うデータ判断ステップと、前記コントローラが、複数の前記冷凍サイクル装置のうち、前記データ判断ステップにより決定された前記優先度が高い冷凍サイクル装置についてはデータ収集間隔を短周期に設定し、前記優先度が低い冷凍サイクル装置についてはデータ収集間隔を長周期に設定するデータ収集間隔設定ステップと、を備え、前記運転データは、前記圧縮機の圧縮機周波数を含み、前記データ判断ステップは、前記圧縮機周波数に基づいて前記優先度決定処理を行い、前記圧縮機周波数が高い前記冷凍サイクル装置ほど優先度を高くし、前記データ収集ステップは、前記データ収集間隔設定ステップにより各冷凍サイクル装置について設定された前記データ収集間隔に基づき、各冷凍サイクル装置から運転データを収集するものである。
【発明の効果】
【００１２】
本発明の冷凍サイクルシステムまたは通信トラフィック調整方法によれば、各冷凍サイクル装置の運転データに応じて個別にデータ収集間隔が設定される。そのため、コントローラは、冷凍サイクルシステムを構成する複数の冷凍サイクル装置のうち、運転データの変化が大きい冷凍サイクル装置からは短周期で運転データを取得し、運転データの変化が小さい冷凍サイクル装置からは長周期で運転データを取得することができる。したがって、冷凍サイクルシステムおよび通信トラフィック調整方法は、各冷凍サイクル装置の運転状態に応じて運転状態監視の精度を確保することができるとともに、システム全体の通信トラフィックの増大を抑えることができる。
【図面の簡単な説明】
【００１３】
【図１】本発明の実施の形態１に係る空調システムの機能構成を示す概略図である。
【図２】本発明の実施の形態１に係る空調機の冷媒回路を示す回路図である。
【図３】本発明の実施の形態１に係るコントローラが行う空調監視制御を示すシーケンス図である。
【図４】本発明の実施の形態１に係る通信トラフィックの調整の前後における設定の変化を示す説明図である。
【図５】本発明の実施の形態１に係る冷凍サイクル装置の他の一例を示す回路図である。
【図６】本発明の実施の形態２に係る空調システムの機能構成を示す概略図である。
【図７】本発明の実施の形態２に係るコントローラが行う空調監視制御を示すシーケンス図である。
【図８】本発明の実施の形態２に係る通信トラフィックの調整の前後における設定の変化を示す説明図である。
【発明を実施するための形態】
【００１４】
冷凍サイクルシステムは、冷凍サイクルをそれぞれ有する複数の冷凍サイクル装置と、冷凍サイクル装置の運転データを収集して管理するコントローラとを、通信可能に接続して構成される。冷凍サイクルシステムは、例えば、冷凍サイクル装置として空調機を備える空調システム、あるいは、冷凍サイクル装置として冷凍装置を備える低温システム等である。
【００１５】
実施の形態１．
図１および図２に基づき、空調システム１の構成について説明する。図１は、本発明の実施の形態１に係る空調システムの機能構成を示す概略図である。図２は、本発明の実施の形態１に係る空調機の冷媒回路を示す回路図である。空調システム１は、複数の空調機１０Ａ，１０Ｂ，１０Ｃ，１０Ｄ，１０Ｅ（以下、特に区別する必要がない場合には空調機１０という）と、コントローラ５０とを備えている。
【００１６】
（空調機１０の構成）
空調機１０は、例えば、空調対象空間を暖房または冷房するものである。以下、空調機１０Ａについて説明し、空調機１０Ｂ、空調機１０Ｃ、空調機１０Ｄおよび空調機１０Ｅについては、空調機１０Ａと同様の構成を有するものとして説明を省略する。
【００１７】
図２に示すように、空調機１０Ａは、室外機２０と複数の室内機３０ａ，３０ｂ，３０ｃ（以下、特に区別する必要がない場合には室内機３０という）とを備える。そして、室外機２０と複数の室内機３０とは、冷媒配管１４および冷媒配管１５により接続されて冷凍サイクルを構成している。図中、実線矢印は暖房時の冷媒流れを表し、破線矢印は冷房時の冷媒流れを表している。
【００１８】
（室外機２０の構成）
室外機２０は、例えば屋外に設置され、室内機３０に冷熱または温熱を供給する機能を有する。室外機２０は、冷媒配管により接続された、圧縮機２５と流路切替装置２６と室外機熱交換器２７とアキュムレータ２９とを有している。また室外機２０には、室外機送風機２８が搭載されている。
【００１９】
圧縮機２５は、アキュムレータ２９を介して流入してきた冷媒を、圧縮して高温高圧のガス冷媒として吐出するものである。圧縮機２５は、例えば、ロータリ圧縮機、スクロール圧縮機、スクリュー圧縮機、または往復圧縮機等で構成することができる。また圧縮機２５は、容量制御可能なインバータ圧縮機で構成される。
【００２０】
アキュムレータ２９は、圧縮機２５の吸入側に設けられ、暖房運転時と冷房運転時の違いによる余剰冷媒、過渡的な運転の変化に対する余剰冷媒、あるいは負荷条件によって発生した余剰冷媒を貯留するものである。過渡的な運転の変化とは、例えば、室内機３０の運転台数が変化した場合等をいう。アキュムレータ２９は液冷媒とガス冷媒とを分離し、ガス冷媒を圧縮機２５に供給する。
【００２１】
流路切替装置２６は、圧縮機２５の吐出側に設けられ、冷房運転と暖房運転とにおいて冷媒の流れを切り替えるものである。流路切替装置２６は、例えば、二方弁もしくは三方弁の組み合わせ、または四方弁等で構成することができる。冷房運転時には、流路切替装置２６は圧縮機２５の吐出側と室外機熱交換器２７とを接続し、圧縮機２５から吐出された冷媒が室外機熱交換器２７へ送られる。一方、暖房運転時には、流路切替装置２６は圧縮機２５の吐出側と冷媒配管１４とを接続し、圧縮機２５から吐出された冷媒が室内機３０へ送られる。なお、空調機１０Ａが冷房専用機または暖房専用機である場合には、流路切替装置２６を設ける必要はない。
【００２２】
室外機熱交換器２７は、室外機送風機２８から供給される空気等の熱交換流体と冷媒との間で熱交換を行なうものであり、暖房運転時には蒸発器として作用し、冷房運転時には凝縮器として作用する。室外機熱交換器２７は、例えば、フィン・アンド・チューブ型熱交換器、マイクロチャネル熱交換器、シェルアンドチューブ式熱交換器、ヒートパイプ式熱交換器、二重管式熱交換器、またはプレート熱交換器等で構成することができる。
【００２３】
室外機送風機２８は、室外機熱交換器２７に空気を供給するものであり、例えば複数の翼を有するプロペラファン等で構成される。室外機送風機２８は、ファンモータにより駆動され、ファンモータに接続されたインバータによってファン回転数が制御されている。
【００２４】
また室外機２０は、空調機１０Ａの運転を制御する室外制御装置２１を備えている。室外制御装置２１は、回路デバイスのようなハードウェアで構成してもよく、あるいは、マイコンまたはＣＰＵ（Ｃｅｎｔｒａｌ  Ｐｒｏｃｅｓｓｉｎｇ  Ｕｎｉｔ）のような演算装置と、演算装置で実行されるソフトウェアとにより構成してもよい。室外制御装置２１は、空調機１０Ａに設置された複数のセンサおよび利用者が操作するリモコン等からの入力に基づき、各アクチュエータの動作を制御している。複数のセンサは、例えば、吐出温度センサ６２、室内温度センサ６１ａ，６１ｂ，６１ｃ（以下、特に区別する必要がない場合には室内温度センサ６１という）、および、図示しない室内湿度センサ等である。吐出温度センサ６２は、圧縮機２５の吐出側に設けられ、冷媒の吐出温度を検出する。室内温度センサ６１および室内湿度センサは、室内機３０または空調対象空間に設置され、それぞれ、空調対象空間の温度または湿度を検出する。また、アクチュエータとは、例えば、室外機２０の圧縮機２５、流路切替装置２６および室外機送風機２８、並びに、後述する室内機３０の絞り装置および室内機送風機等である。
【００２５】
室外機２０は、コントローラ５０に通信線２を介して接続され、室外制御装置２１とコントローラ５０とは、相互に通信できる構成となっている。室外制御装置２１は、室外機通信部２２と室外機データ保持部２３とを有している。室外機通信部２２は、コントローラ５０および室内機３０等と通信を行い、室外機データ保持部２３は、制御している空調機１０の運転データを保持する。室外機２０の運転データは、室外機２０に設置された各種センサの検出情報およびアクチュエータの制御情報等であり、例えば、圧縮機２５の圧縮機周波数、吐出温度、冷房能力、室外機送風機２８のファン周波数、運転時間、消費電力および特殊制御状態等である。なお、室外機２０とコントローラ５０とは無線で通信するように接続されていてもよい。
【００２６】
（室内機３０の構成）
室内機３０は、例えば屋内等に設置され、室外機２０から供給される冷熱または温熱により、空調対象空間を冷房または暖房する機能を有する。室内機３０ａ，３０ｂ，３０ｃは、室内機熱交換器３５ａ，３５ｂ，３５ｃ、絞り装置３７ａ，３７ｂ，３７ｃ、および室内機送風機３６ａ，３６ｂ，３６ｃを備えている。以下、室内機３０ａについて説明し、室内機３０ｂおよび室内機３０ｃは室内機３０ａと同様の構成を有するものとして説明を省略する。
【００２７】
室内機熱交換器３５ａは、暖房運転時には凝縮器として作用し、冷房運転時には蒸発器として作用するものである。室内機熱交換器３５ａは、室内機送風機３６ａから供給される空気等の熱交換流体と冷媒との間で熱交換を行ない、空調対象空間に供給する暖房用空気あるいは冷房用空気を生成する。室内機熱交換器３５ａは、例えば、フィン・アンド・チューブ型熱交換器、マイクロチャネル熱交換器、シェルアンドチューブ式熱交換器、ヒートパイプ式熱交換器、二重管式熱交換器、またはプレート熱交換器等で構成することができる。
【００２８】
室内機送風機３６ａは、室内機熱交換器３５ａに空気を供給するものである。室内機送風機３６ａは、例えば、複数の翼を有するプロペラファンで構成することができる。
【００２９】
絞り装置３７ａは、室内機熱交換器３５ａまたは室外機熱交換器２７を経由した冷媒を膨張させて減圧するものである。絞り装置３７ａは、室外機熱交換器２７と室内機熱交換器３５ａとの間に設けられている。絞り装置３７ａは、冷媒の流量を調整可能な電動膨張弁で構成するとよいが、例えば、受圧部にダイアフラムを採用した機械式膨張弁、またはキャピラリーチューブ等で構成してもよい。
【００３０】
また室内機３０は、室外制御装置２１に通信可能に接続された室内制御装置３１ａ，３１ｂ，３１ｃ（以下、特に区別する必要がない場合には室内制御装置３１という）を備える。室内制御装置３１は、室外制御装置２１からの信号に基づいて、室内機３０の運転を制御し、運転情報等を室外制御装置２１に送信する。室内機３０ａ，３０ｂ，３０ｃは、室内機通信部３２ａ，３２ｂ，３２ｃと室内機データ保持部３３ａ，３３ｂ，３３ｃとを有している。室内機通信部３２は、コントローラ５０および室外機２０等と通信を行い、室内機データ保持部３３は、室内機３０の運転データを保持する。室内機３０の運転データとは、例えば室内機３０に設けられた各種センサの検出情報および制御するアクチュエータの制御情報であり、例えば、室内温度、室内湿度、設定温度、風量および吹出し温度等を含む。
【００３１】
（コントローラ５０）
コントローラ５０は、複数の空調機１０の状態を監視するものであり、通信線２を介して接続された複数の空調機１０から通信により運転データを収集している。コントローラ５０が収集した運転データは、例えば、管理者が空調機１０の運転状態を確認するために使用される、または、ネットワークを介してメンテナンス会社に送られて空調機１０の保守等に利用される。
【００３２】
コントローラ５０は、通信部５１とデータ収集部５２とデータ判断部５３とデータ収集間隔設定部５４等とを有している。コントローラ５０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびＣＰＵ（Ｃｅｎｔｒａｌ  Ｐｒｏｃｅｓｓｉｎｇ  Ｕｎｉｔ）等で構成される。
【００３３】
コントローラ５０の通信部５１は、複数の空調機１０とそれぞれ通信を行い、データ収集部５２は、複数の空調機１０のそれぞれから運転データを収集し、保存する。具体的には、データ収集部５２は、運転データを収集するときに、監視対象となる空調機１０に対し、保持している運転データを送信するように要求するデータ要求を送出する。またデータ収集部５２は、収集した運転データを、各空調機１０に関連づけて記憶する。
【００３４】
データ判断部５３は、データ収集部５２によって収集された運転データに基づいて、優先度決定処理を行う。ここで、優先度決定処理とは、複数の空調機１０についてデータ収集の優先度を個別に決定することをいう。
【００３５】
データ収集間隔設定部５４は、データ判断部５３により各空調機１０に決定された優先度に基づき、空調機１０へデータ要求を送信する周期を、各空調機１０について設定する。例えば、データ収集間隔設定部５４は、表１に示すような、優先順位とデータ収集間隔とが関連づけられた対応テーブルを予め記憶している。
【００３６】
【表１】
0006719651.tif 000002
【００３７】
そして、データ収集間隔設定部５４は、各空調機１０のデータ収集間隔を設定する際に、対応テーブルを参照し、データ判断部５３により決定された優先度に対応するデータ収集間隔を抽出する。
【００３８】
また、コントローラ５０は、タッチパネルディスプレイ等で構成される入出力部５５を備えている。管理者は、入出力部５５を操作してコントローラ５０に特定の処理を実行させることができ、例えば、特定の情報を指定して画面に表示させることができる。
【００３９】
コントローラ５０は、同時に複数台の空調機１０と通信することができ、上記のデータ収集部５２が各空調機１０にデータ要求を送信すると、空調機１０は保持している運転データを送出して応答する。つまり、通信線２には、コントローラ５０から複数の空調機１０へ送信されるデータ要求、および、データ要求に応答して各空調機１０から送信される運転データ等が通る。そのため、データ収集間隔により、空調システム１全体の通信トラフィックが決まる。
【００４０】
（空調機１０の動作）
空調機１０は、上記のように、複数のセンサおよびリモコン等からの入力に基づき運転が制御されている。運転中、空調機１０は運転データを保持しており、室外機２０の運転データは室外機データ保持部２３に保持され、室内機３０の運転データは室内機データ保持部３３に保持される。
【００４１】
また、例えば冷房時に、温度の上昇した室内で空調機１０が運転を開始したときには、室内温度を大きく下げる必要があるため、圧縮機周波数は高くなる。このように、空調対象空間の室内温度を大きく変化させようとした場合には、空調機１０の運転負荷は高い状態となり、室内温度等をはじめとした運転データの変化は大きくなる。
【００４２】
一方、空調機１０が動作を開始してからある程度時間が経過し、空調対象空間の温度が目標値に達した状態では、温度を下げる必要がないため、圧縮機２５は、運転を停止する、あるいは低周波数で動作を継続する。このように空調負荷が低い状態では、室内温度をはじめとした運転データも変化が小さい。
【００４３】
運転データの変化の大小と運転負荷との上記のような関係から、実施の形態１では、コントローラ５０は、接続される複数の空調機１０のうち運転負荷が大きい空調機１０からは短周期でデータ取得を行い、運転状態監視の精度を確保する構成となっている。またコントローラ５０は、運転負荷が小さい空調機１０からは長周期でデータ取得を行い、空調システム１全体の通信トラフィックの増大を抑えている。
【００４４】
（空調監視制御）
次に、図３および図４に基づき、空調監視制御について説明する。図３は、本発明の実施の形態１に係るコントローラが行う空調監視制御を示すシーケンス図である。図４は、本発明の実施の形態１に係る通信トラフィックの調整の前後における設定の変化を示す説明図である。図３および図４には、コントローラ５０が、空調機１０の運転負荷を圧縮機周波数によって判断する一例が示される。
【００４５】
ここで、空調機１０Ａ〜１０Ｅには、機器番号の１〜５が順に割り振られているものとする。また、通信トラフィックの調整が行われる前では、空調システム１に接続されている複数の空調機１０のうち、圧縮機２５を運転する圧縮機周波数は、空調機１０Ａが１００Ｈｚと最も高い。そして、空調機１０Ｂは圧縮機周波数が５０Ｈｚであり、空調機１０Ｃ、空調機１０Ｄおよび空調機１０Ｅは圧縮機周波数が２０Ｈｚであるものとする。
【００４６】
コントローラ５０は、接続されている複数の空調機１０の運転状態を監視するために、図３に示される空調監視制御を実施する。空調機１０に対して最初にデータ収集を行うとき、データ収集部５２は、データ収集間隔を初期値の５分として、各空調機１０へデータ要求を送出する（ステップＳＴ１０１）。そして、データ収集部５２は、各空調機１０から運転データを受信すると、受信した運転データを保存する（ステップＳＴ１０２）。
【００４７】
次に、データ判断部５３は、収集した運転データに基づき、各空調機１０について次のデータ収集の優先順位づけ、すなわち優先度決定処理を行う（ステップＳＴ１０３）。優先順位は、条件Ｙおよび条件Ｚの２つの条件によって決定される。条件Ｙは条件Ｚに優先する。
条件Ｙは、圧縮機周波数が高い順に優先度を高くする。
条件Ｚは、機器番号が小さい順に優先度を高くする。
【００４８】
そして、優先度決定処理の結果、データ収集間隔の優先順位づけは、優先度が高いものから順に、空調機１０Ａ、空調機１０Ｂ、空調機１０Ｃ、空調機１０Ｄ、空調機１０Ｅとなる。つまり、図４に示すように、複数の空調機１０のうち圧縮機周波数が最も大きい空調機１０Ａは優先順位が１となり、圧縮機周波数が最も低い空調機１０Ｃ、１０Ｄ、１０Ｅのうち最も機器番号が小さい空調機１０Ｅは優先順位が５となる。
【００４９】
次に、データ収集間隔設定部５４は、データ判断部５３により決定された各空調機１０の優先順位に応じて、各空調機１０へデータ要求を送出する周期を個別に設定する（ステップＳＴ１０４）。このとき、データ収集間隔設定部５４は、表１に示すような対応テーブルを参照して、データ収集間隔を設定してもよい。なお、優先順位とデータ収集間隔との関係は、どのような形式で記憶されていてもよく、テーブル形式のかわりに例えば式として記憶されていてもよい。
【００５０】
次に、コントローラ５０は、運転データのデータ収集を継続するか否かを判断する（ステップＳＴ１０５）。例えば、入力された指令または設定等により空調監視動作が継続されている場合に、コントローラ５０は、引き続きデータ収集を行なうと判断し（ステップＳＴ１０５：ＹＥＳ）、データ収集部５２は、ステップＳＴ１０４にて設定されたデータ収集間隔で運転データのデータ収集を継続する（ステップＳＴ１０１）。一方、何等かの理由で空調監視動作が終了する場合には、コントローラ５０は空調監視制御を終了する（ステップＳＴ１０５：ＮＯ）。
【００５１】
図４に示すように、優先順位が１と決定された空調機１０Ａは、上記のような処理によりデータ収集間隔が５分周期から２分周期に変更される。また、優先順位が２と決定された空調機１０Ｂは、データ収集間隔が５分周期から変更されず、また優先順位が３〜５に決定された空調機１０Ｃ，１０Ｄ，１０Ｅは、データ収集間隔が５分周期から１０分周期に変更される。コントローラ５０は、このように、各空調機１０について個別に設定されたデータ収集間隔に基づき、空調機１０の運転データの収集を行うことになる。
【００５２】
ところで、コントローラ５０が各空調機１０に対して１回のデータ収集で送信するコマンド数がＴ個とすると、図４では、データ収集間隔の変更前と変更後において、１０分間に送信するコマンドの総数はいずれも１０Ｔ個であり、通信トラフィックは維持されている。コマンドの総数は、例えば、コントローラ５０と空調機１０との間で使用する通信環境の通信能力等に基づき、予め一定となるように設定してもよい。このような構成によれば、全体の通信トラフィックを維持しつつ、その通信トラフィックの範囲において各空調機１０の監視精度を互いに変化させることができる。
【００５３】
以上のように、コントローラ５０は、運転負荷が大きく運転データの変化が大きい空調機１０Ａの運転データは短周期で取得することができるようになり、空調機１０Ａの運転状態監視の精度を確保することができる。また、全体の通信トラフィックは維持される。なお、運転負荷が小さい空調機１０Ｃ，１０Ｄ，１０Ｅは、変更前においても運転データの変化が小さいため、運転状態監視の精度は損なわれていない。
【００５４】
なお、実施の形態１では、空調機１０の運転負荷が圧縮機周波数で判断される場合について説明したが、圧縮機周波数とは別の運転データに基づいて優先度決定処理がされてもよい。例えば、データ判断部５３は、消費電力、または、室外機送風機２８のファン周波数等といった運転データで優先度を判断してもよい。この場合、ファン周波数または消費電力は、圧縮機周波数と同様に、運転負荷が大きいときに大きくなる傾向にあるため、データ判断部５３は、複数の空調機１０のうちファン周波数または消費電力が大きな空調機１０については優先度を高く設定するように構成されるとよい。
【００５５】
また、優先度決定処理の判定条件として、取得した運転データを直接用いる以外に、例えば、収集した運転データから算出されたパラメータを使用してもよい。一般に、空調機１０では室内温度と設定温度との温度差等に応じて圧縮機２５の運転周波数が制御されるため、判定条件として圧縮機周波数の代わりに温度差を用いてもよい。この場合、データ判断部５３は、収集した運転データのうち室内温度と設定温度とにより温度差を算出し、算出した温度差が大きい順に優先度を高くすればよい。
【００５６】
また、これまで、複数の空調機１０からのデータ収集について説明したが、上述した通信トラフィック調整方法は、上記の空調システム１以外にも適用することができる。
【００５７】
図５は、本発明の実施の形態１に係る冷凍サイクル装置の他の一例を示す回路図である。ここで、コントローラ５０は、通信線２を介して複数の冷凍装置１１０とそれぞれ通信可能に接続されている。図５に示すように、各冷凍装置１１０において、冷凍機１２０と利用ユニット１３０とが、冷媒配管１１４および冷媒配管１１５により接続されて冷凍サイクルを構成している。利用ユニット１３０は、例えば、ショーケースまたはユニットクーラー等で構成される。冷凍機１２０は、圧縮機１２５、室外機熱交換器１２７、室外機送風機１２８、吐出温度センサ１６２および室外制御装置等を備え、上記の室外機２０に相当する。なお、冷凍機１２０では、流路切替装置２６およびアキュムレータ２９は設置されず、室外機熱交換器１２７は凝縮器として機能する。利用ユニット１３０ａ，１３０ｂ，１３０ｃは、室内機熱交換器１３５ａ，１３５ｂ，１３５ｃ、室内機送風機１３６ａ，１３６ｂ，１３６ｃ、室内温度センサ１６１ａ，１６１ｂ，１６１ｃ、および室内制御装置等を備え、上記の室内機３０ａ，３０ｂ，３０ｃに相当する。なお、冷凍機１２０において、室内機熱交換器１３５ａ，１３５ｂ，１３５ｃは、蒸発器として機能する。そして、コントローラ５０は、上述した制御により、複数の冷凍装置１１０から運転データを収集することができる。
【００５８】
以上のように、実施の形態１において、冷凍サイクルシステム（例えば、空調システム１）は、圧縮機２５により冷媒が循環する冷凍サイクルをそれぞれ有する複数の冷凍サイクル装置（例えば、空調機１０Ａ，１０Ｂ，１０Ｃ，１０Ｄ，１０Ｅ）と、複数の冷凍サイクル装置と通信可能に接続されたコントローラ５０とを備えた冷凍サイクルシステムにおいて、コントローラ５０は、複数の冷凍サイクル装置のそれぞれから運転データを収集するデータ収集部５２と、データ収集部５２により収集された運転データに基づいて、複数の冷凍サイクル装置のデータ収集の優先度を個別に決定する優先度決定処理を行うデータ判断部５３と、複数の冷凍サイクル装置のうち、データ判断部５３により決定された優先度が高い冷凍サイクル装置（例えば、空調機１０Ａ）についてはデータ収集間隔を短周期に設定し、優先度が低い冷凍サイクル装置（例えば、空調機１０Ｃ，１０Ｄ，１０Ｅ）についてはデータ収集間隔を長周期に設定するデータ収集間隔設定部５４と、を備え、データ収集部５２は、データ収集間隔設定部５４により各冷凍サイクル装置について設定されたデータ収集間隔に基づき、各冷凍サイクル装置から運転データを収集するものである。
【００５９】
これより、冷凍サイクルシステム（例えば、空調システム１）は、各冷凍サイクル装置（例えば、空調機１０Ａ，１０Ｂ，１０Ｃ，１０Ｄ，１０Ｅ）の運転状態に応じてデータ収集間隔を個別に設定し、運転状態監視の精度を調整することができる。また、データ収集間隔は、運転データに基づいて決定された優先度に応じて周期が設定されるので、例えば、運転データをこまめに取得する必要がある冷凍サイクル装置（例えば、空調機１０Ａ）からは高頻度に運転データが収集され、運転状態監視の精度が向上する。その結果、管理者は、例えば空調機１０に異常がある場合等に、入出力部５５に表示された情報等からいち早く異常を発見し、対処することができる。一方、例えば運転データの変化が小さい冷凍サイクル装置（例えば、１０Ｃ，１０Ｄ，１０Ｅ）については、データ収集の頻度が低減され、冷凍サイクルシステムは、全体としての通信トラフィックの増大を抑えることができる。
【００６０】
また、運転データは、圧縮機２５の圧縮機周波数を含み、データ判断部５３は、圧縮機周波数に基づいて優先度決定処理を行い、圧縮機周波数が高い冷凍サイクル装置（例えば空調機１０Ａ）ほど優先度を高くする。
【００６１】
これより、運転データの変化が大きいときに圧縮機周波数が高くなるという傾向を利用して、コントローラ５０は、各空調機１０の運転状態に適した監視精度となるようにデータ収集を行うことができる。
【００６２】
また、運転データは、消費電力を含み、データ判断部５３は、消費電力に基づいて優先度決定処理を行い、消費電力が高い冷凍サイクル装置（例えば空調機１０Ａ）ほど優先度を高くする。
【００６３】
これより、運転データの変化が大きいときに消費電力が高くなるという傾向を利用して、コントローラ５０は、各空調機１０の運転状態に適した監視精度となるようにデータ収集を行うことができる。
【００６４】
また、複数の冷凍サイクル装置（空調機１０）は、冷媒との間で熱交換をする室外機熱交換器２７と、室外機熱交換器２７に空気を供給する室外機送風機２８と、をさらに備え、運転データは、室外機送風機２８のファン周波数を含み、データ判断部５３は、ファン周波数に基づいて優先度決定処理を行い、ファン周波数が高い冷凍サイクル装置（例えば空調機１０Ａ）ほど優先度を高くする。
【００６５】
これより、運転データの変化が大きいときにファン周波数が高くなるという傾向を利用して、コントローラ５０は、各空調機１０の運転状態に適した監視精度となるようにデータ収集を行うことができる。
【００６６】
また、データ収集間隔設定部５４は、データ収集部５２が運転データを収集する際に送信するコマンドの総数（例えば、１０Ｔ）が、データ収集間隔の設定の前後において一定となるように、優先度にデータ収集間隔が対応づけられたテーブルを有する。
【００６７】
これより、コントローラ５０は、さらに、全体の通信トラフィックの変化を抑えることができる。そのため、コントローラ５０は、通信トラフィックを維持しつつ、その通信トラフィックにおいて各空調機１０の運転状態に適した監視精度で、運転状態の監視を行うことができる。
【００６８】
また、冷凍サイクル装置は、空調機１０である。これより、複数の空調機１０を備える空調システム１において、各空調機１０の運転状態に応じて運転状態監視の精度を確保することができるとともに、システム全体の通信トラフィックの増大を抑えることができる。また、このように空調機１０の監視精度が確保されることにより、例えば、空調機１０の不具合による停止期間を少なくすることができる。
【００６９】
また、冷凍サイクル装置は、冷凍装置１１０である。これより、複数の冷凍装置１１０を備える低温システムにおいても、各冷凍装置１１０の運転状態に応じて運転状態監視の精度を確保することができるとともに、システム全体の通信トラフィックの増大を抑えることができる。また、このように冷凍装置１１０の監視精度が確保されることにより、例えば、利用ユニット１３０に収容されている製品等の品質が損なわれるのを防止できる。
【００７０】
また、通信トラフィック調整方法は、圧縮機２５により冷媒が循環する冷凍サイクルをそれぞれ有する複数の冷凍サイクル装置（例えば、空調機１０）と、複数の冷凍サイクル装置と通信可能に接続されたコントローラ５０とを備えた冷凍サイクルシステム（例えば空調システム１）における通信トラフィック調整方法であって、コントローラ５０が、複数の冷凍サイクル装置（空調機１０）のそれぞれから運転データを収集するデータ収集ステップ（ステップＳＴ１０１）と、コントローラ５０が、データ収集ステップにより収集された運転データに基づいて、複数の冷凍サイクル装置（空調機１０）のデータ収集の優先度を個別に決定する優先度決定処理を行うデータ判断ステップ（ステップＳＴ１０３）と、コントローラ５０が、複数の冷凍サイクル装置（空調機１０）のうち、データ判断ステップにより決定された優先度が高い冷凍サイクル装置（例えば、空調機１０Ａ）についてはデータ収集間隔を短周期に設定し、優先度が低い冷凍サイクル装置についてはデータ収集間隔を長周期に設定するデータ収集間隔設定ステップ（ステップＳＴ１０４）と、を備え、データ収集ステップ（ステップＳＴ１０１）は、データ収集間隔設定ステップ（ステップＳＴ１０４）により各冷凍サイクル装置について設定されたデータ収集間隔に基づき、各冷凍サイクル装置から運転データを収集するものである。
【００７１】
これより、通信トラフィック調整方法は、各冷凍サイクル装置（例えば、空調機１０Ａ，１０Ｂ，１０Ｃ，１０Ｄ，１０Ｅ）の運転状態に応じて運転状態監視の精度を確保することができるとともに、全体の通信トラフィックの増大を抑えることができる。
【００７２】
実施の形態２．
実施の形態２は、データ収集間隔の優先順位づけの判定条件に特殊制御状態を含めたものである。実施の形態２において、実施の形態１の場合と同様に構成については同一符号を付して説明を省略し、異なる構成について以下に説明する。
【００７３】
図６は、本発明の実施の形態２に係る空調システムの機能構成を示す概略図である。実施の形態２においても、空調システム２０１は、実施の形態１の場合と同様に、複数の空調機１０Ａ，１０Ｂ，１０Ｃ，１０Ｄ，１０Ｅと、コントローラ２５０とを備えている。
【００７４】
また実施の形態２において、コントローラ２５０は、省エネ制御等の特殊制御を各空調機１０に実施する機能を有している。省エネ制御中は、消費電力を抑えるように、設定温度を変化させるまたは圧縮機周波数を制御する等の制御が行われる。このような制御の実施中には、コントローラ２５０にて制御の実施状況を確認するために、こまめな運転状態監視が必要とされる。そのため、特殊制御（この場合は省エネ制御）実施中の空調機１０Ｃ，１０Ｄのデータ収集は、できる限り短周期で実施することが必要である。
【００７５】
実施の形態２では、各空調機１０の運転状態が、実施の形態１の場合と異なる。通信トラフィックの調整が行われる前では、空調システム２０１に接続されている複数の空調機１０のうち、空調機１０Ａ、空調機１０Ｃおよび空調機１０Ｅは、圧縮機２５を運転する圧縮機周波数が６０Ｈｚと最も高く、空調機１０Ｄの圧縮機周波数は３０Ｈｚ、空調機１０Ｂの圧縮機周波数は２０Ｈｚで運転している。また、空調機１０Ｃおよび空調機１０Ｄは省エネ制御を実施中であり、その他の空調機１０Ａ、空調機１０Ｂおよび空調機１０Ｅは省エネ制御を実施していない状態となっている。
【００７６】
次に、図７および図８に基づき、実施の形態２の空調監視制御について説明する。図７は、本発明の実施の形態２に係るコントローラが行う空調監視制御を示すシーケンス図である。図８は、本発明の実施の形態２に係る通信トラフィックの調整の前後における設定の変化を示す説明図である。図７および図８には、コントローラ２５０が、空調機１０の圧縮機周波数および特殊制御の実施状態等によりデータ収集の優先度を設定する場合が示されている。
【００７７】
コントローラ２５０は、図７に示される空調監視制御を実施し、接続されている複数の空調機１０の運転状態を監視する。空調機１０に対して最初にデータ収集を行うとき、データ収集部２５２は、データ収集間隔を初期値の５分として、各空調機１０へデータ要求を送出する（ステップＳＴ２０１）。そして、データ収集部２５２は、各空調機１０から運転データを受信すると、受信した運転データを保存する（ステップＳＴ２０２）。
【００７８】
次に、データ判断部２５３は、次のデータ収集の優先順位づけ、すなわち優先度決定処理を行う（ステップＳＴ２０３）。優先順位は、条件Ｘ，条件Ｙおよび条件Ｚの３つの条件によって決定される。条件Ｘは条件Ｙに優先し、条件Ｙは条件Ｚに優先する。
条件Ｘは、省エネ制御実施中の空調機の優先度を高くする。
条件Ｙは、圧縮機周波数が高い順に優先度を高くする。
条件Ｚは、機器番号が小さい順に優先度を高くする。
【００７９】
そして、優先度決定処理の結果、データ収集間隔の優先順位づけは、優先度が高いものから順に、空調機１０Ｃ、空調機１０Ｄ、空調機１０Ａ、空調機１０Ｅ、空調機１０Ｂとなる。つまり、図８に示すように、省エネ制御を実施している空調機１０Ｃ，１０Ｄの優先順位が最も高く、そのうち圧縮機周波数が高い空調機１０Ｃの優先順位が１となる。また、省エネ制御を実施していない空調機１０Ａ、１０Ｂ、１０Ｅのうち、圧縮機周波数が同じである空調機１０Ａと空調機１０Ｅとでは、機器番号の小さい空調機１０Ａの方が優先順位が高くなる。また、省エネ制御を実施しておらず、かつ圧縮機周波数が最も低い空調機１０Ｂは、優先順位が５となる。
【００８０】
次に、データ収集間隔設定部２５４は、データ判断部２５３により決定された各空調機１０の優先順位に応じて、各空調機１０へデータ要求を送出する周期を個別に設定する（ステップＳＴ２０４）。このとき、データ収集間隔設定部２５４は、表１に示すような対応テーブルを参照して、データ収集間隔を設定してもよい。なお、実施の形態１の場合と同様に、優先順位とデータ収集間隔との関係はどのような形式で記憶されていてもよく、テーブル形式のかわりに例えば式として記憶されていてもよい。
【００８１】
次に、コントローラ２５０は、運転データのデータ収集を継続するか否かを判断する（ステップＳＴ２０５）。例えば空調監視動作が継続されている場合に、コントローラ２５０は、引き続きデータ収集を行なうと判断し（ステップＳＴ２０５：ＹＥＳ）、データ収集部２５２は、ステップＳＴ２０４にて設定されたデータ収集間隔で運転データのデータ収集を継続する（ステップＳＴ２０１）。一方、何等かの理由で空調監視動作が終了する場合には、コントローラ２５０は空調監視制御を終了する（ステップＳＴ２０５：ＮＯ）。
【００８２】
図８に示すように、優先順位が１と決定された空調機１０Ｃは、上記のような処理によりデータ収集間隔が５分周期から２分周期に変更される。また、優先順位が２と決定された空調機１０Ｄは、データ収集間隔が５分周期から変更されず、また優先順位が３〜５に決定された空調機１０Ａ，１０Ｂ，１０Ｅは、データ収集間隔が５分周期から１０分周期に変更される。コントローラ２５０は、このように、各空調機１０について個別に設定されたデータ収集間隔に基づき、空調機１０の運転データの収集を行うことになる。
【００８３】
また、コントローラ２５０が各空調機１０に対して１回のデータ収集で送信するコマンド数がＴ個とすると、実施の形態１の場合と同様に、図８では、データ収集間隔の変更前と変更後において、１０分間に送信するコマンドの総数はいずれも１０Ｔ個である。したがって、実施の形態２の場合においても、通信トラフィックは維持される。
【００８４】
上記のように、コントローラ２５０は、空調機１０の消費電力を抑えるための省エネ制御等の特殊制御を行うことが可能である。特殊制御を実施中は意図的に空調機の負荷を調整している状態であるため、こまめな運転状態監視を必要とする。空調システム２０１の上記の動作により、省エネ制御を実施中でこまめな運転状態監視が必要であり、且つ圧縮機周波数が大きく運転データの変化が大きい空調機１０Ｃの運転データは短周期で取得できるようになる。一方、省エネ制御を実施中でこまめな運転状態監視が必要であるが、圧縮機周波数が低く運転データの変化が小さい空調機１０Ｄについては、データ収集間隔に変化なくデータ収集がなされる。また、特殊制御を実施していない空調機（空調機１０Ａ，１０Ｂ，１０Ｅ）は、特殊制御を実施している空調機（空調機１０Ｃ，１０Ｄ）よりもデータ収集の優先度が下げられ、データ収集間隔が長くなる。このように通信トラフィックが調整されることで、空調システム２０１は、各空調機１０の運転状態に適した運転状態監視の精度が確保でき、全体の通信トラフィックをほぼ変化なく維持することができる。
【００８５】
なお、上述した通信トラフィック調整方法は、複数の空調機１０から運転データを収集する空調システム２０１だけでなく、例えば、複数の冷凍装置１１０から運転データを収集する低温システム等にも適用することができる。
【００８６】
以上のように、実施の形態２においても、冷凍サイクルシステム（例えば、空調システム２０１）および通信トラフィック調整方法は、実施の形態１の場合と同様の効果を有している。
【００８７】
また、実施の形態２において、運転データは、通常運転の制御とは異なる特殊制御を実施しているか否かを表す特殊制御情報を含み、データ判断部２５３は、特殊制御情報に基づいて優先度決定処理を行う。
【００８８】
これより、特殊制御情報を優先度決定処理の判定条件として用いることにより、コントローラ２５０は、運転データを高頻度に取得する必要がある特殊制御実施中の空調機（例えば、空調機１０Ｃ，１０Ｄ）に対して、短周期でデータ取得を行うことができる。したがって、特殊制御中の場合でも、冷凍サイクルシステム（空調システム２０１）は、各冷凍サイクル装置（空調機１０）の運転状態監視の精度を最適に確保することができるとともに、通信トラフィックを維持することができる。
【００８９】
また、運転データは、通常運転の制御とは異なる特殊制御を実施しているか否かを表す特殊制御情報をさらに含み、データ判断部２５３は、優先度決定処理を行う際に、特殊制御を実施している冷凍サイクル装置（例えば、空調機１０Ｃ，１０Ｄ）の優先度をそれ以外の冷凍サイクル装置（例えば、空調機１０Ａ，１０Ｂ，１０Ｅ）の優先度よりも高く設定する。
【００９０】
これより、データ判断部２５３は、優劣のある判定条件（例えば、条件Ｘ，Ｙ，Ｚ）を複数組合せて優先度決定処理を行うことができ、所望の運転状態について特に監視の精度を高めることができる。また、例えば、条件Ｘにより優先度が同等に高く設定された冷凍サイクル装置（例えば、空調機１０Ｃ，１０Ｄ）に、条件Ｘの次に優先される条件Ｙが適用されると、これらの冷凍サイクル装置（空調機１０Ｃ，１０Ｄ）の優先度に差を設けることができる。その結果、冷凍サイクルシステム（空調システム２０１）は、各冷凍サイクル装置（空調機１０）の運転状態にさらに適した運転状態監視の精度を確保するとともに、通信トラフィックを維持することができる。
【００９１】
また、運転データは、複数の冷凍サイクル装置（空調機１０）のそれぞれを特定する機器番号の情報をさらに含み、データ判断部２５３は、同一の優先度を有する複数の冷凍サイクル装置（例えば、空調機１０Ａ，１０Ｅ）がある場合に、同一の優先度を有する複数の冷凍サイクル装置において機器番号が小さい冷凍サイクル装置（例えば、空調機１０Ａ）ほど優先度を高くする。
【００９２】
これより、データ判断部２５３は、データ収集の優先順位を各冷凍サイクル装置（空調機１０）に重複することなくつけることができる。そのため、例えば、表１のような対応テーブルが記憶されている場合には、データ収集間隔設定部２５４は、決定された優先順位に対応するデータ収集間隔を抽出すればよく、処理が簡略化できる。
【００９３】
なお、本発明の実施の形態は上記実施の形態に限定されず、種々の変更を行うことができる。例えば、図２には、３台の室内機３０（室内機３０ａ、室内機３０ｂおよび室内機３０ｃ）が、１台の室外機２０に対して並列に接続されている場合を例に示しているが、室外機２０および室内機３０の台数および接続方法は、特にこれに限定されない。
【００９４】
また、表１に示したデータ収集間隔は一例であって、通信環境、および冷凍サイクルシステムに含まれる冷凍サイクル装置の台数等に応じて適宜設定されればよい。
【００９５】
また、図１には、コントローラ５０に空調機１０が５台接続される場合について示されているが、５台未満または５台を超える数の空調機１０が接続された空調システムにおいても、上記の通信トラフィック調整方法は同様に適用できる。
【００９６】
また、実施の形態２において、特殊制御状態に関する条件Ｘは、圧縮機周波数に関する条件Ｙおよび機器番号に関する条件Ｚより優先するものとして説明したが、各条件の優先度は、監視を優先させたい運転状態に応じて適宜設定すればよい。
【００９７】
また、データ判断部２５３は、圧縮機周波数に関する条件Ｙの代わりに、消費電力またはファン周波数といった運転データに関する条件を、上記の条件Ｘおよび条件Ｚと組合せて優先度を決定する構成であってもよい。
【符号の説明】
【００９８】
１，２０１  空調システム、２  通信線、１０（１０Ａ，１０Ｂ，１０Ｃ，１０Ｄ，１０Ｅ）  空調機、１４，１５  冷媒配管、２０  室外機、２１  室外制御装置、２２  室外機通信部、２３  室外機データ保持部、２５，１２５  圧縮機、２６  流路切替装置、２７，１２７  室外機熱交換器、２８，１２８  室外機送風機、２９  アキュムレータ、３０（３０ａ，３０ｂ，３０ｃ）  室内機、３１（３１ａ，３１ｂ，３１ｃ）  室内制御装置、３２（３２ａ，３２ｂ，３２ｃ）  室内機通信部、３３（３３ａ，３３ｂ，３３ｃ）  室内機データ保持部、３５ａ，３５ｂ，３５ｃ，１３５ａ，１３５ｂ，１３５ｃ  室内機熱交換器、３６ａ，３６ｂ，３６ｃ，１３６ａ，１３６ｂ，１３６ｃ  室内機送風機、３７ａ，３７ｂ，３７ｃ  絞り装置、５０，２５０  コントローラ、５１  通信部、５２，２５２  データ収集部、５３，２５３  データ判断部、５４，２５４  データ収集間隔設定部、５５  入出力部、６１（６１ａ，６１ｂ，６１ｃ）、１６１ａ，１６１ｂ，１６１ｃ  室内温度センサ、６２，１６２  吐出温度センサ、１１０  冷凍装置、１２０  冷凍機、１３０（１３０ａ，１３０ｂ，１３０ｃ）  利用ユニット。
【図１】
0006719651.tif 000003
【図２】
0006719651.tif 000004
【図３】
0006719651.tif 000005
【図４】
0006719651.tif 000006
【図５】
0006719651.tif 000007
【図６】
0006719651.tif 000008
【図７】
0006719651.tif 000009
【図８】
0006719651.tif 000010